(57)【要約】【課題】本発明は、フーチングの補強構造の施工を容易にする技術を提供する。【解決手段】矢板１はフーチングＦと間隔を空けて設けられている橋脚基部Ｐのみに接合されている。矢板の上部と橋脚基部Ｐとが補強コンクリート２により接合されている。補強コンクリート２は、矢板１の内面及び橋脚基部Ｐに固設されたジベルアンカー５に打設されて形成されている。フーチングＦの側面と矢板１とが結合されていないので、フーチングＦとの結合作業を省くことが出来る。また、上記結合する必要がないので、フーチングＦ周りの掘削が不要である。また、地震による破壊も報告されているフーチングＦの補強も同時に行うことが出来る。【選択図】        図１０
2004300822.tif 000002
【特許請求の範囲】
【請求項１】
矢板を用いて橋梁基礎を補強する橋脚基部結合型補強構造であって、前記矢板は、フーチングと間隔を空けて設けられており、橋脚基部のみに結合されていることを特徴とする橋脚・橋台基部結合型補強構造。
【請求項２】
前記矢板の上部と前記橋脚基部とが補強コンクリートにより結合されていることを特徴とする請求項１記載の橋脚・橋台基部結合型補強構造。
【請求項３】
前記補強コンクリートは、前記矢板の内面及び前記橋脚基部に設けられた、前記矢板と前記橋脚基部とを結合する為の、ジベルアンカー、鉄筋等に打設されて形成されていることを特徴とする請求項２記載の橋脚・橋台基部結合型補強構造。
【請求項４】
前記結合は、前記橋脚に接するように前記矢板に架設された結合材によりなされていることを特徴とする請求項１記載の橋脚・橋台基部結合型補強構造。
【請求項５】
矢板を用いて橋梁基礎を補強する橋脚基部結合型補強構造の施工方法であって、所定間隔を介してフーチングを囲繞するように前記矢板を打設する矢板打設工程と、
前記橋脚基部の結合する部分まで掘削する掘削工程と、
前記矢板の内側面と、前記橋脚基部とに、前記矢板と前記橋脚基部とを結合する為の、ジベルアンカー、鉄筋等を設ける設置工程と、
前記ジベルアンカー等に補強コンクリートを打設する打設工程と、
前記掘削工程により掘削した部分を埋め戻す工程と
を備えたことを特徴とする、橋脚・橋台基部結合型補強構造の施工方法。
【請求項６】
矢板を用いて橋梁基礎を補強する橋脚基部結合型補強構造の施工方法であって、所定間隔を介してフーチングを囲繞するように前記矢板を打設する矢板打設工程と、
前記フーチングの上面まで掘削する掘削工程と、
前記矢板の内側面と、前記橋脚基部と、並びに前記フーチングに前記矢板と、前記橋脚基部及び前記フーチングとを結合する為の、ジベルアンカー、鉄筋等を設ける設置工程と、
前記ジベルアンカー等に補強コンクリートを打設する打設工程と、
前記補強コンクリートの上方に位置する前記矢板を切断する切断工程と、
前記掘削工程により掘削した部分を埋め戻す工程と
を備えたことを特徴とする、橋脚・橋台基部結合型補強構造の施工方法。
【請求項７】
矢板を用いて橋梁基礎を補強する橋脚基部結合型補強構造の施工方法であって、所定間隔を介してフーチングを囲繞するように前記矢板を打設する矢板打設工程と、
前記橋脚基部の結合する部分まで掘削する掘削工程と、
前記矢板の内側面と、前記橋脚基部とに、前記橋脚に接するように前記矢板に架設される結合材を設ける設置工程と、
前記掘削工程により掘削した部分を埋め戻す工程と
を備えたことを特徴とする、橋脚・橋台基部結合型補強構造の施工方法。
【発明の詳細な説明】
【０００１】
【発明の属する技術分野】
本発明は、特に既設の橋梁基礎の補強に好適な橋脚基部結合型補強構造に係る技術に属する。
【０００２】
【従来の技術】
従来、矢板を用いた補強構造としては種々のものが開発提供されている（例えば、特許文献１乃至４参照）。
【特許文献１】
特開平１１―２００３９５号公報（図１参照）
【０００３】
【特許文献２】
特開平９−１５８２１２号公報（図１参照）
【０００４】
【特許文献３】
特開２００１−２１４４６５号公報（図１参照）
【０００５】
【特許文献４】
特開２０００−２７３８８１号公報（図１参照）
いずれの補強構造においても、フーチング側面と矢板とを剛結合している。
【０００６】
【発明が解決しようとする課題】
しかしながら、矢板とフーチングとを剛結するのは、フーチングをはつったり、新たなコンクリートを打設する等をしなければならず、施工費用に高額を要した。
本発明は斯かる問題点を鑑みてなされたものであり、その目的とするところは、上記問題点を解決できる技術を提供する点にある。
【０００７】
【課題を解決するための手段】
本発明は上記課題を解決すべく、以下に掲げる構成とした。
請求項１記載の発明の要旨は、矢板を用いて橋梁基礎を補強する橋脚基部結合型補強構造であって、前記矢板は、フーチングと間隔を空けて設けられており、橋脚基部のみに結合されていることを特徴とする橋脚・橋台基部結合型補強構造に存する。
請求項２記載の発明の要旨は、前記矢板の上部と前記橋脚基部とが補強コンクリートにより結合されていることを特徴とする請求項１記載の橋脚・橋台基部結合型補強構造に存する。
請求項３記載の発明の要旨は、前記補強コンクリートは、前記矢板の内面及び前記橋脚基部に設けられた、前記矢板と前記橋脚基部とを結合する為の、ジベルアンカー、鉄筋等に打設されて形成されていることを特徴とする請求項２記載の橋脚・橋台基部結合型補強構造に存する。
請求項４記載の発明の要旨は、前記結合は、前記橋脚に接するように前記矢板に架設された結合材によりなされていることを特徴とする請求項１記載の橋脚・橋台基部結合型補強構造に存する。
請求項５記載の発明の要旨は、矢板を用いて橋梁基礎を補強する橋脚基部結合型補強構造の施工方法であって、所定間隔を介してフーチングを囲繞するように前記矢板を打設する矢板打設工程と、前記橋脚基部の結合する部分まで掘削する掘削工程と、前記矢板の内側面と、前記橋脚基部とに、前記矢板と前記橋脚基部とを結合する為の、ジベルアンカー、鉄筋等を設ける設置工程と、前記ジベルアンカー等に補強コンクリートを打設する打設工程と、前記掘削工程により掘削した部分を埋め戻す工程とを備えたことを特徴とする、橋脚・橋台基部結合型補強構造の施工方法に存する。
請求項６記載の発明の要旨は、矢板を用いて橋梁基礎を補強する橋脚基部結合型補強構造の施工方法であって、所定間隔を介してフーチングを囲繞するように前記矢板を打設する矢板打設工程と、前記フーチングの上面まで掘削する掘削工程と、前記矢板の内側面と、前記橋脚基部と、並びに前記フーチングに前記矢板と、前記橋脚基部及び前記フーチングとを結合する為の、ジベルアンカー、鉄筋等を設ける設置工程と、前記ジベルアンカー等に補強コンクリートを打設する打設工程と、前記補強コンクリートの上方に位置する前記矢板を切断する切断工程と、前記掘削工程により掘削した部分を埋め戻す工程とを備えたことを特徴とする、橋脚・橋台基部結合型補強構造の施工方法に存する。
請求項７記載の発明の要旨は、矢板を用いて橋梁基礎を補強する橋脚基部結合型補強構造の施工方法であって、所定間隔を介してフーチングを囲繞するように前記矢板を打設する矢板打設工程と、前記橋脚基部の結合する部分まで掘削する掘削工程と、前記矢板の内側面と、前記橋脚基部とに、前記橋脚に接するように前記矢板に架設される結合材を設ける設置工程と、前記掘削工程により掘削した部分を埋め戻す工程とを備えたことを特徴とする、橋脚・橋台基部結合型補強構造の施工方法に存する。
【０００８】
【発明の実施の形態】
以下、本発明の実施の形態を図面に基づいて詳細に説明する。
図９及び図１０に示すように、本実施の形態に係る補強構造は、矢板１はフーチングＦと間隔を空けて設けられている橋脚基部Ｐのみに結合されている。矢板１の上部と橋脚基部Ｐとが補強コンクリート２により結合されている。補強コンクリート２は、矢板１の内面及び橋脚基部Ｐに固設されたジベルアンカー５に打設されて形成されている。
【０００９】
次に、施工方法を説明する。
図１及び図２に示すように、まず、フーチングＦを所定間隔を介して囲繞するように矢板１を打設し、連結する。当該矢板１の天端は地表に至っている。
【００１０】
次いで、図３及び図４に示すように、フーチングＦ上面まで掘削し、切梁３を行う。フーチングＦ上部と矢板１との間には捨て梁コンクリート４を打設する。
【００１１】
次いで、図５及び図６に示すように、１段の切梁３を解体し、ジベルアンカー５を矢板１内面にフーチングＦへ向かって固設する。また橋脚基部Ｐにもジベルアンカー５を設ける。フーチングＦにもジベルアンカー５が固設する。
【００１２】
次いで、図７及び図８に示すように、ジベルアンカー５に、補強コンクリート２を打設する。補強コンクリート２は鉛直断面矩形をなし、捨て梁コンクリート４に接してる。補強コンクリート２の上面よりも上方に位置する矢板１を切断する。
【００１３】
次いで、図９及び図１０に示すように、掘削した部分を埋め戻し、切断した上部の矢板１を撤去する。
以上の工程により補強構造を構築することが出来る。
【００１４】
次に、効果について説明する。
フーチングＦの側面と矢板１とが結合されていないので、フーチングＦとの結合作業を省くことが出来る。
また、上記結合する必要がないので、フーチングＦ周りの掘削が不要である。
また、基礎の補強に伴い地震時の地盤抵抗が増大することにより過大な応力が発生するフーチングＦの補強も同時に行うことが出来る。
【００１５】
なお、上記構成部材の数、位置、形状等は上記実施の形態に限定されず、本発明を実施する上で好適な数、位置、形状等にすることができる。
また、上記実施の形態の全てに係る補強構造は、新設、既設のフーチングを問わず適用可能である。
また、上記実施の形態では、矩形のフーチングに適用したが、矩形以外の多角形や円形のフーチングにも適用可能である。
また、矢板自身の水平断面の形状は、コルゲート、波形等を問わない。
また、上記実施の形態では、ジベルアンカー５を用いたが、鉄筋その他、好適な物を適用できる。
また、図１１に示すように前記橋脚に接するように前記矢板に架設された結合材６により行っても良い。
また、上記実施の形態では掘削、矢板の切断、埋め戻しを行ったが、それらを行わなくても良い。例えば、矢板を切断しない場合には、最上段の矢板を抜いても良いし、打ち込みに用いた矢板を次の矢板の打ち込みに使っても良い。
なお、各図において、同一構成要素には同一符号を付している。
【００１６】
【発明の効果】
本発明は以上のように矢板とフーチングの側面とを結合しないので、掘削深さが減り、結合のための土留めが不要になり、且つ作業スペースが不要なので掘削幅も小さくすることが出来る。その結果、施工費用を低廉化することができる。
【図面の簡単な説明】
【図１】本発明の実施の形態に係る補強構造の施工方法を示す平面図である。
【図２】図１の側面図である。
【図３】本発明の実施の形態に係る補強構造の施工方法を示す平面図である。
【図４】図３の側面図である。
【図５】本発明の実施の形態に係る補強構造の施工方法を示す平面図である。
【図６】図５の側面図である。
【図７】本発明の実施の形態に係る補強構造の施工方法を示す平面図である。
【図８】図７の側面図である。
【図９】本発明の実施の形態に係る補強構造の施工方法を示す平面図である。
【図１０】図９の側面図である。
【図１１】本発明の他の実施の形態を示す平面図である。
【符号の説明】
１  矢板
２  補強コンクリート
３  切梁
４  捨て梁コンクリート
５  ジベルアンカー
６  結合材
Ｆ  フーチング
Ｐ  橋脚基部
【図１】
2004300822.tif 000003
【図２】
2004300822.tif 000004
【図３】
2004300822.tif 000005
【図４】
2004300822.tif 000006
【図５】
2004300822.tif 000007
【図６】
2004300822.tif 000008
【図７】
2004300822.tif 000009
【図８】
2004300822.tif 000010
【図９】
2004300822.tif 000011
【図１０】
2004300822.tif 000012
【図１１】
2004300822.tif 000013